(57)【要約】【課題】可搬型のプリンタを必要とせず、かつ、顧客のメールアドレスを入力する必要のない決済装置を提供する。【解決手段】顧客のクレジットカードからカード情報を読み取るクレジットカード読取装置４と、クレジットカード読取装置４からカード情報を受信し、決済サーバ２に決済依頼を送信するスマートフォン１とを有する。決済サーバ２は、スマートフォン１からの決済依頼を受信し、決済を実行するとともに、決済結果の格納場所を示すＵＲＬを示す識別コード２０を含んだ決済結果をスマートフォン１に送信する。スマートフォン１は、決済結果を受信し、識別コード２０を顧客の携帯端末３で撮像可能に表示する。顧客はこれを携帯端末３で撮像し決済結果を取得する。【選択図】    図1
2013206256.tif 000002
【特許請求の範囲】
【請求項１】
顧客のクレジットカードからカード情報を読み取るクレジットカード読取装置と、
前記クレジットカード読取装置から前記カード情報を受信し、決済サーバ宛に決済依頼を送信する決済装置とを有するクレジット決済表示システムにおいて、
前記決済サーバは、前記決済装置からの決済依頼を受信し、決済を実行するとともに、決済結果の格納場所を示すＵＲＬを示す識別コードを含んだ決済結果を前記決済装置宛に送信し、
前記決済装置は、前記決済結果を受信し、前記識別コードを前記顧客の撮像装置で撮像可能に表示することを特徴とするクレジット決済表示システム。
【請求項２】
カード情報受信部によって顧客のクレジットカード情報を受信するカード情報受信ステップと、
入力手段によって決済情報の入力を受け付ける決済情報入力ステップと、
前記入力手段の入力に従って決済サーバに対しクレジットの決済依頼を送信する決済依頼送信ステップと、
通信受信部によって、決済サーバからの決済可否情報と、可の場合に決済結果を格納するＵＲＬを示す識別コードを受信する結果受信ステップと、
顧客の操作する携帯端末によって読取り可能に前記識別コードを表示装置に表示する識別コード表示ステップとをコンピュータに実行させるためのクレジット決済表示アプリケーションプログラム。
【請求項３】
前記入力手段がタッチパネル式入力表示装置であることを特徴とする請求項２記載のクレジット決済表示アプリケーションプログラム。
【請求項４】
顧客のクレジットカード情報を含む決済情報を受信する受信部と、
前記決済情報からクレジット決済の可否を判定する決済部と、
決済結果を格納する決済結果格納部と、
決済結果の格納場所を示すＵＲＬを示す識別コードを生成するコード生成部と、
前記ＵＲＬを示す前記識別コードを含む前記決済結果を送信する送信部と、
前記識別コードを読み取った端末装置からの前記決済結果の提示要求があったとき、前記決済結果格納部の前記決済結果を前記端末装置に提供する決済結果提供部を有することを特徴とするクレジット決済サーバ。
【発明の詳細な説明】
【技術分野】
【０００１】
本発明は、クレジットカード決済において、決済結果を顧客に受け渡すためのクレジット決済表示システムに関する。
【背景技術】
【０００２】
従来、顧客がクレジットカードを利用して買い物の支払を行う場合、店舗側としては、決済専用端末を店舗内のレジ近くに設置し決済を行っていた。この場合、遠隔地にある決済サーバと決済専用端末と通信を行っているのが一般的であった。一方、近年汎用端末としてのスマートフォンの普及は目ざましいものがある。そこで、店員が決済装置としてのスマートフォンを使用して、顧客のクレジットカードの決済を行う場合がある。
【０００３】
図８は従来のスマートフォンを使用した決済と決済結果を顧客に受け渡す手順を示すフローである。
Ｓ５００：顧客がクレジットカードで買い物代金の支払を行う場合、顧客はクレジットカードを店員に渡す。
Ｓ５０１：店員は顧客から受け取ったクレジットカードをクレジットカード読取装置でカード情報を読み取らせる。そして、自動的にそのカード情報を決済装置としてのスマートフォン５１に入力させる。
【０００４】
Ｓ５０２：更に、店員は、スマートフォン５１に顧客の買い物をした金額等所定の入力事項を入力し、最後に決済ボタンを押下する。
【０００５】
Ｓ５０３：スマートフォン５１は所定の通信回線を介して決済サーバ５２をアクセスし、決済サーバ５２に対して決済依頼電文を送信する。
Ｓ５０４：決済サーバ５２は決済依頼電文を受け取ると、当該顧客に対するクレジット決済が可能かどうか判断し、可能であれば決済を行う。
Ｓ５０５：決済サーバ５２は決済の結果をスマートフォン５１に対し返送する。
【０００６】
Ｓ５０６：店員は、決済の結果をスマートフォン５１で受信すると、その結果を顧客の携帯端末としての携帯電話５３に転送するため、顧客のメールアドレスを尋ねる。
Ｓ５０７：これに対し、顧客は店員に顧客の携帯電話５３のメールアドレスを伝達する。
Ｓ５０８：店員は顧客の携帯電話５３のメールアドレスをスマートフォン５１に入力する。
Ｓ５０９：最後に店員は、スマートフォン５１の送信ボタンを押下し、スマートフォン５１から顧客の携帯電話５３へ決済の結果をメール送信する。以上のようにして、店員はスマートフォン５１を使用して決済と決済結果を顧客に受け渡すことができる。
【０００７】
なお、特開２００７−１７２００４号公報（特許文献１）には、自動機の顧客操作画面上に格納先情報を含むＱＲコード（登録商標）等の識別コードのみを表示する技術が開示されている。特許文献１によれば、顧客は携帯型端末のカメラでＱＲコードを撮像し、携帯型端末より銀行が用意したサイトにアクセスすることで、情報を得ることができるものである。
【先行技術文献】
【特許文献】
【０００８】
【特許文献１】特開２００７−１７２００４号公報
【発明の概要】
【発明が解決しようとする課題】
【０００９】
しかしながら、従来技術によれば、決済サーバから決済結果を決済装置としての店員のスマートフォンに返送する。そして、その決済結果を決済装置から顧客に受け渡すために次の２つの方法がある。（１）決済装置５１から図示しないプリンタを利用して決済結果を印刷する。（２）図８のステップ５０６乃至ステップ５０９の通り、店員が顧客の携帯端末５３のメールアドレスを尋ね、決済装置５１に入力する。そして、決済装置５１内の決済結果をメールで顧客の携帯端末５３に送信する。
【００１０】
（１）については、プリンタ装置を用意する必要があるが、スマートフォンを決済装置にする場合、プリンタ装置の可搬性を確保する必要がある。従って、システムのコストアップになるという問題があった。（２）については、顧客からメールアドレスを入手し、これを入力する必要があるが、メールアドレスは顧客の個人情報に当たるため、顧客の同意を必要とする。また、システムとしてのセキュリティを確保しなければならない。更に、メールアドレスを手作業で入力するため、誤入力による未到達、或いは当該顧客以外に誤送信されるおそれがあるという問題があった。
【００１１】
本発明が解決しようとする課題は、可搬型のプリンタを必要とせず、かつ、顧客のメールアドレスを尋ねたり、入力する必要のない決済装置を提供することを可能とするものである。
【課題を解決するための手段】
【００１２】
上記課題を解決するために本発明に関するクレジット決済表示システムは、顧客のクレジットカードからカード情報を読み取るクレジットカード読取装置と、前記クレジットカード読取装置から前記カード情報を受信し、決済サーバ宛に決済依頼を送信する決済装置とを有するクレジット決済表示システムにおいて、前記決済サーバは、前記決済装置からの決済依頼を受信し、決済を実行するとともに、決済結果の格納場所を示すＵＲＬを示す識別コードを含んだ決済結果を前記決済装置宛に送信し、前記決済装置は、前記決済結果を受信し、前記識別コードを前記顧客の撮像装置で撮像可能に表示することを特徴とするものである。
【発明の効果】
【００１３】
上記構成を有する本発明によれば、決済装置の表示装置に決済結果の格納場所を示すＵＲＬを示す識別コードを表示し、顧客が携帯端末で当該識別コードを撮像することによって、決済結果の格納場所にアクセスすることができるので、可搬型のプリンタを必要とせず、かつ、顧客のメールアドレスを尋ねたり、入力する必要のないクレジット決済表示システムを提供することを可能とする
【図面の簡単な説明】
【００１４】
【図１】第１の実施の形態に関するクレジット決済表示システムの構成を示すブロック図である。
【図２】第１の実施の形態に関する決済装置１とクレジットカード読取装置４の外観図である。
【図３】第１の実施の形態に関するクレジット決済表示システムの全体の動作を示すフロー図である。
【図４】第１の実施の形態に関する決済装置１の動作を示すフローチャートである。
【図５】第１の実施の形態に関する決済サーバ２の動作を示すフローチャートである。
【図６】第１の実施の形態に関するカード所有者の携帯端末３の動作を示すフローチャートである。
【図７】第１の実施の形態に関する決済結果の表示状況を示す説明図である。
【図８】従来のスマートフォンを使用した決済と決済結果を顧客に受け渡す手順を示すフローである。
【発明を実施するための形態】
【００１５】
（第１の実施の形態）
以下、本発明の第１の実施の形態について説明する。図１は第１の実施の形態に関するクレジット決済表示システムの構成を示すブロック図である。顧客が買い物をして、顧客のクレジットカードで支払いをする場合、店舗内にいる店員はスマートフォンである決済装置１を携帯する。スマートフォンはいわゆる携帯型汎用コンピュータである。アプリケーションソフトウェアをインストールすることによって、所望の機能を有する端末装置１とすることができる。決済装置１は次に図２で説明するクレジットカード読取装置４と接続される。クレジットカード読取装置４は顧客が所有するクレジットカードのカード情報を読み取る。
【００１６】
決済装置１のカード情報受信部１２は、クレジットカード読取装置４からのカード情報を受け取る。操作表示部１３は、買い物金額や暗証番号等の決済情報を入力するとともに、識別コードとしてのＱＲコードを含む決済結果を表示する。即ち、入力手段としての操作表示部１３は、タッチパネル式入力表示装置である。また、操作表示部１３は、次に説明する携帯端末３のＱＲコードリーダ３２が撮像可能にＱＲコード２０（図７（ａ）参照）を表示する。通信送受信部としての決済送受信部１４は、決済サーバ２宛にクレジットカード決済の決済依頼を送信するとともに決済サーバ２からの決済結果を受信する。そして、決済装置１はこれらを制御する装置制御部１１を有する。
【００１７】
決済サーバ２は、通信回線５を介して決済装置１及び後述する顧客の所持する携帯端末３と接続可能となっている。決済サーバ２の送受信部２２は、決済情報としての決済依頼を受信し、決済結果を送信する。決済部２３は、受信した決済情報からクレジット決済の可否を判定する。決済結果記録部２４は、決済結果を決済結果格納部としての決済結果格納データベース２６に格納する。ＱＲコード生成部２５は、決済結果の格納場所を示すＵＲＬを示す識別コードとしてのＱＲコード２０を生成する。決済結果格納データベース２６は決済結果を格納する。決済結果提供部２７は、決済結果の格納場所を示すＵＲＬを示す識別コード（ＱＲコード）を含んだ決済結果を決済装置１へ送信するとともに、携帯端末３からの提示要求に従って決済結果を返信する。そして、決済サーバ２はこれらを制御するサーバ制御部２１を有する。
【００１８】
携帯端末３は、顧客が所持する携帯電話又はスマートフォンである。携帯端末３のＱＲコードリーダ３２はＱＲコード２０を読み取る。ＱＲコード・ＵＲＬ変換部３３は、ＱＲコード２０をＵＲＬに変換する。表示部３４は、決済サーバ２から返信された決済結果を表示する。端末送受信部３５は、決済サーバ２に対し決済結果提示要求を送信するとともに、決済サーバ２からの決済結果を受信する。そして、携帯端末３はこれらを制御する端末制御部３１を有する。
【００１９】
図２は第１の実施の形態に関する決済装置１とクレジットカード読取装置４の外観図である。決済装置１は、通常のスマートフォンであるが、ＰＤＡと同等の機能をもつ多機能型携帯電話機でもよい。通常のスマートフォンに本実施の形態に関するアプリケーションソフトウェアをインストールする。決済装置１は、操作表示部１３を有し、指で所定のデータを入力することができる。操作表示部１３には、買い物金額又は暗証番号などを入力するためのテンキー１６及び決済依頼を決定する決済依頼キー１７が表示される。更に、決済サーバ２から決済結果を受信したときには、操作表示部１３は、後に図７（ａ）で説明するように決済サーバ２から受信したＱＲコード２０を含む決済結果表示１８を表示する。
【００２０】
決済装置１には、イヤフォンジャック１５が設けられている。イヤフォンジャック１５にクレジットカード読取装置４の端子４２を挿入し接続することにより、クレジットカード情報がクレジットカード読取装置４から決済装置１へ送信される。図示しないクレジットカードをクレジットカード読取装置４のスリット４１にスライドさせることにより、クレジットカードの磁気情報が読み取られる。なお、製品としては、ウェルコムデザイン社「ＵｎｉＭａｇ（登録商標）」及び日本ポステック社イヤフォンジャック型磁気カードリーダー「ＪＰＴ−Ｓ１００」がある。
【００２１】
図３は第１の実施の形態に関するクレジット決済表示システムの全体の動作を示すフロー図である。更に、図４は第１の実施の形態に関する決済装置１の動作を示すフローチャートであり、図５は第１の実施の形態に関する決済サーバ２の動作を示すフローチャートであり、図６は第１の実施の形態に関するカード所有者の携帯端末３の動作を示すフローチャートである。まず、図３と図４により店員が使用する決済装置１の動作について説明する。
【００２２】
Ｓ１００：顧客がクレジットカードで買い物代金の支払を行う場合、顧客はクレジットカードを店員に渡す。
Ｓ１０１：店員は顧客から受け取ったクレジットカードをクレジットカード読取装置４でカード情報を読み取らせる。そして、自動的にそのカード情報を決済装置１に入力させる。即ち、決済装置１の装置制御部１１は、カード情報受信部１２に対し、クレジットカード読取装置４からのカード情報を受信するよう指示する。
【００２３】
Ｓ１０２：更に、店員は、決済装置１に顧客の買い物をした金額や暗証番号等の決済情報を入力し、必要に応じて顧客に暗証番号を入力させ、最後に決済依頼キー１７を押下する。即ち、決済装置１の装置制御部１１は、操作表示部１３に対しデータの入力及び決済依頼キー１７の押下を受け付けるよう指示する。そして、決済依頼キー１７の押下を検出すると、通信送受信部としての決済送受信部１４に対し決済サーバ２宛に必要なデータとともに決済依頼を送信するよう指示する。
【００２４】
Ｓ１０３：決済装置１は所定の通信回線５を介して決済サーバ２をアクセスし、決済サーバ２に対して決済依頼電文を送信する。
Ｓ１０４：決済装置１は決済サーバ２からの返信を待つ。即ち、決済装置１の装置制御部１１は、通信送受信部としての決済送受信部１４に対し決済サーバ２からの決済結果を受信するよう指示する。
Ｓ１０５：決済サーバ２からの決済結果が決済可能であるとき、装置制御部１１は操作表示部１３に対し、ＱＲコード２０を含む決済結果（後に図７（ａ）で説明する決済結果表示１８の決済結果データ１９−１とＱＲコード２０）表示するよう指示する。
【００２５】
次に図３と図５により、決済を行う決済サーバ２の動作について説明する。
Ｓ２０１：決済サーバ２のサーバ制御部２１は送受信部２２に対し、決済装置１からの決済依頼電文を受け取るよう指示する。
Ｓ２０２：決済サーバ２のサーバ制御部２１は決済部２３に対し、当該顧客に対して決済可能かどうか判断するよう指示する。決済不可の場合はステップ２０３へ移行し、決済可能の場合はステップ２０４へ移行する。
【００２６】
Ｓ２０３：決済不可の場合、サーバ制御部２１は送受信部２２に対し、決済不可の決済結果を決済装置１へ返信するよう指示する。
Ｓ２０４：決済可能の場合、サーバ制御部２１は決済結果記録部２４に対し、決済結果を決済結果格納データベース２６に格納するよう指示する。
Ｓ２０５：そして、サーバ制御部２１はＱＲコード生成部２５に対し、決済結果を格納するＵＲＬを示す識別コードとしてのＱＲコード２０を生成するよう指示する。
Ｓ２０６：更に、サーバ制御部２１は決済結果提供部２７に対し、ＱＲコード２０を含む決済結果（図７（ａ）で説明する決済結果表示１８の決済結果データ１９−１とＱＲコード２０）を決済装置１へ返信するよう指示する。
【００２７】
Ｓ２０７：決済サーバ２は携帯端末３からの後述する決済結果提示要求を待つ。即ち、決済サーバ２のサーバ制御部２１は、送受信部２２に対し、携帯端末３からの決済結果提示要求を受信するよう指示する。
Ｓ２０８：携帯端末３からの決済結果提示要求を受信すると、サーバ制御部２１は決済結果提供部２７に対し、決済結果（図７（ｂ）で示す決済結果表示３８の決済結果データ１９−２）を携帯端末３へ返送するよう指示する。
【００２８】
最後に図３と図６により、ＱＲコード２０を読み取る顧客端末３の動作について説明する。
Ｓ３０１：前記ステップ１０５において、決済装置１の操作表示部１３に決済結果データ１９−１とＱＲコード２０が表示されているとき、顧客は携帯端末３のＱＲコードリーダ３２によって当該ＱＲコード２０を読み取る。即ち、携帯端末３の端末制御部３１は、ＱＲコードリーダ３２に対し、決済装置１の操作表示部１３に表示されたＱＲコード２０を読み取るよう指示する。
【００２９】
Ｓ３０２：携帯端末３の端末制御部３１はＱＲコード・ＵＲＬ変換部３３に対し、読み取ったＱＲコード２０をＵＲＬに変換するよう指示する。そして、端末制御部３１は端末送受信部３５に対し、当該ＵＲＬにアクセスするよう指示する。
Ｓ３０３：携帯端末３の端末制御部３１は、決済サーバ２からの決済結果の返信が来るのを待つ。即ち、端末制御部３１は端末送受信部３５に対し、決済サーバ２からの決済結果を受信するよう指示する。
Ｓ３０４：決済サーバ２からの決済結果を受信すると、携帯端末３の端末制御部３１は、表示部３４に対し決済結果３８を表示するよう指示する。これにより顧客は決済結果データ１９−２を受け取ることができる。
【００３０】
図７は第１の実施の形態に関する決済結果の表示状況を示す説明図である。同図（ａ）は決済装置１に表示されるＱＲコード２０を含む決済結果表示１８を示し、同図（ｂ）は携帯端末３に表示される決済結果表示３８を示す。ステップ１０５において、決済サーバ２からの決済結果が決済可能であるとき、装置制御部１１は操作表示部１３に、決済サーバ２からの決済結果データ１９−１とＱＲコード２０を決済結果表示１８として表示するよう指示する。
【００３１】
携帯端末３のＱＲコードリーダ３２はこのＱＲコード２０を読み取る。そして、携帯端末３は、決済サーバ２から受け取った決済結果データ１９−２を決済結果表示３８として得ることができる。以上のようにして、店員はスマートフォンを使用して決済結果データ１９−２を顧客に受け渡すことができる。
【００３２】
なお、本実施の形態の説明において、決済サーバ２は一つの装置として、決済装置１からの決済依頼を受付け、更に携帯端末３からの決済結果取得依頼を受付けることを説明したが、これに限らない。即ち、決済サーバ２を二つに分け、第１の決済サーバが決済装置１からの決済依頼を受付け、第２の決済サーバが携帯端末３からの決済結果取得依頼を受付けることとしてもよい。その際、決済結果を格納する決済結果格納データベース２６を前記第１の決済サーバと第２の決済サーバが共用することにしてもよい。
【００３３】
以上、本実施の形態によれば、決済装置１の操作表示部１３に決済結果の格納場所を示すＵＲＬを示す識別コードとしてのＱＲコード２０を表示し、顧客が携帯端末３で当該ＱＲコード２０を撮像することによって、決済結果の格納場所にアクセスすることができるので、可搬型のプリンタを必要とせず、かつ、顧客がメールアドレスを尋ねたり、入力する必要のないクレジット決済表示システムを提供することを可能とする
【符号の説明】
【００３４】
１      決済装置
２      決済サーバ
３      携帯端末
４      クレジットカード読取装置
５      通信回線
１１    装置制御部
１２    カード情報受信部
１３    操作表示部
１４    決済送受信部
１５    イヤフォンジャック
１６    テンキー
１７    決済依頼キー
２０    ＱＲコード
２１    サーバ制御部
２２    送受信部
２３    決済部
２４    決済結果記録部
２５    ＱＲコード生成部
２６    決済結果格納ＤＢ
２７    決済結果提供部
３１    端末制御部
３２    ＱＲコードリーダ
３３    ＱＲコード・ＵＲＬ変換部
３５    端末送受信部
４１    スリット
４２    端子
【図１】
2013206256.tif 000003
【図２】
2013206256.tif 000004
【図３】
2013206256.tif 000005
【図４】
2013206256.tif 000006
【図５】
2013206256.tif 000007
【図６】
2013206256.tif 000008
【図７】
2013206256.tif 000009
【図８】
2013206256.tif 000010